(57)【要約】  無線基地局１は、上り通信チャネルの状況に基づいて、無線端末２による下り通信チャネルの品質であるコードブロック通信品質のフィードバックの要素を決定する。更に、無線基地局１は、当該フィードバックの態様を含んだフィードバック制御情報を、無線端末２へ送信する。一方、無線端末２は、受信したフィードバック制御情報に基づいて、フィードバックの態様を決定し、上り通信チャネルを用いて、下り通信チャネルの品質であるコードブロック通信品質を無線基地局１へ送信する。無線基地局１は、受信したコードブロック通信品質に基づいて、コードブロックの再送制御を行う。
2010098411.tif 000002
【特許請求の範囲】
【請求項１】
第１通信装置及び第２通信装置を有し、前記第１通信装置と前記第２通信装置との間で、データの通信を行う通信システムであって、
前記第１通信装置は、
前記第２通信装置から前記第１通信装置に向かう方向の第１通信の状況に基づいて、前記第１通信装置から前記第２通信装置に向かう方向の第２通信の品質を示す情報を前記第２通信装置から前記第１通信装置へフィードバックするときのフィードバック要素を決定する決定部と、
伝送対象のデータを前記第２通信装置へ送信するデータ送信部と、
前記決定部により決定された前記フィードバック要素を示す情報を前記第２通信装置へ送信するフィードバック要素送信部と
を備え、
前記第２通信装置は、
前記第１通信装置から、前記伝送対象のデータを受信するデータ受信部と、
前記第２通信の品質を測定する測定部と、
前記第１通信装置から、前記フィードバックの要素を示す情報を受信するフィードバック要素受信部と、
前記フィードバック要素受信部により受信された前記フィードバックの要素を示す情報に応じて、前記測定部により測定された前記第２通信の品質を示す情報を前記第１通信装置へ送信する品質送信部と
を備え、
前記第１通信装置は、
前記第２通信装置から、前記第２通信の品質を示す情報を受信する品質受信部と、
前記品質受信部により受信された前記第２通信の品質を示す情報に応じて、前記第２通信での再送制御を行う再送制御部と
を備える通信システム。
【請求項２】
他の通信装置との間で、データの通信を行う通信装置であって、
前記他の通信装置から前記通信装置に向かう方向の第１通信の状況に基づいて、前記通信装置から前記他の通信装置に向かう方向の第２通信の品質を示す情報のフィードバックの要素を決定する決定部と、
伝送対象のデータを前記他の通信装置へ送信するデータ送信部と、
前記決定部により決定された前記フィードバックの要素を示す情報を前記他の通信装置へ送信するフィードバック要素送信部と、
前記他の通信装置により送信される前記第２通信の品質を示す情報を受信する品質受信部と、
前記品質受信部により受信された前記第２通信の品質を示す情報に応じて、前記第２通信での再送制御を行う再送制御部と
を備える通信装置。
【請求項３】
前記決定部は、前記第１通信の品質の劣化が大きいほど、前記他の通信装置による、前記第２通信の品質を示す情報のフィードバックの契機及び情報量を制限するようにフィードバックの要素を決定する請求項２に記載の通信装置。
【請求項４】
前記決定部は、前記第１通信の空き容量が少ないほど、前記他の通信装置による、前記第２通信の品質を示す情報のフィードバックの契機及び情報量を制限するようにフィードバックの要素を決定する請求項２に記載の通信装置。
【請求項５】
前記決定部は、前記他の通信装置による前記第１通信の使用容量が多いほど、前記第２通信の品質を示す情報のフィードバックの契機及び情報量を制限するようにフィードバックの要素を決定する請求項２に記載の通信装置。
【請求項６】
前記決定部は、前記他の通信装置による前記第１通信を用いた通信に要求されるＱｏＳが高いほど、前記第２通信の品質を示す情報のフィードバックの契機及び情報量を制限するようにフィードバックの要素を決定する請求項２に記載の通信装置。
【請求項７】
前記通信装置は、前記他の通信装置との間で、ビット列を分割して得られる複数のコードブロックを含んだパケットの通信を行い、
前記決定部は、前記コードブロックの品質を示す情報のフィードバックの要素を決定する請求項２に記載の通信装置。
【請求項８】
他の通信装置との間で、データの通信を行う通信装置であって、
前記他の通信装置から、伝送対象のデータを受信するデータ受信部と、
前記他の通信装置から前記通信装置に向かう方向の第１通信の品質を測定する測定部と、
前記通信装置から前記他の通信装置に向かう方向の第２通信の品質を示す情報のフィードバックの要素を示す情報を前記他の通信装置から受信するフィードバック要素受信部と、
前記フィードバック要素受信部により受信された前記フィードバックの要素を示す情報に応じて、前記測定部により測定された前記第１通信の品質を示す情報を前記他の通信装置へ送信する品質送信部と
を備える通信装置。
【請求項９】
前記品質送信部は、前記データ受信部により前記伝送対象のデータが受信されてから所定時間内に前記フィードバック要素受信部により前記フィードバックの要素を示す情報が受信されなかった場合に、特定のフィードバックの要素により、前記測定部により測定された前記第１通信の品質を示す情報を前記他の通信装置へ送信する請求項８に記載の通信装置。
【請求項１０】
前記通信装置は、前記他の通信装置との間で、ビット列を分割して得られる複数のコードブロックを含んだパケットの通信を行い、
前記測定部は、前記コードブロックの品質を測定する請求項８に記載の通信装置。
【請求項１１】
第１通信装置及び第２通信装置を有し、前記第１通信装置と前記第２通信装置との間で、データの通信を行う通信システムにおける通信方法であって、
前記第１通信装置が、前記第２通信装置から前記第１通信装置に向かう方向の第１通信の状況に基づいて、前記第１通信装置から前記第２通信装置に向かう方向の第２通信の品質を示す情報を前記第２通信装置から前記第１通信装置へフィードバックするときのフィードバックの要素を決定するステップと、
前記第１通信装置が、伝送対象のデータを前記第２通信装置へ送信するステップと、
前記第１通信装置が、決定された前記フィードバックの要素を示す情報を前記第２通信装置へ送信するステップと、
前記第２通信装置が、前記第１通信装置からの前記伝送対象のデータを受信するステップと、
前記第２通信装置が、前記第２通信の品質を測定するステップと、
前記第２通信装置が、前記第１通信装置からの前記フィードバックの要素を示す情報を受信するステップと、
前記第２通信装置が、受信された前記フィードバックの要素を示す情報に応じて、測定された前記第２通信の品質を示す情報を前記第１通信装置へ送信するステップと、
前記第１通信装置が、前記第２通信装置から、前記第２通信の品質を示す情報を受信するステップと、
前記第１通信装置が、受信された前記第２通信の品質を示す情報に応じて、前記第２通信での再送制御を行うステップと
を備える通信方法。
【請求項１２】
無線基地局及び無線端末を有し、前記無線基地局と前記無線端末との間で、データの通信を行う通信システムにおける通信方法であって、
前記無線基地局が、前記無線基地局から前記無線端末に向かう方向の下りチャネルの復号に関するフィードバック情報を前記無線端末がフィードバックするときのフィードバックの要素を示す情報を前記無線端末へ送信するステップと、
前記無線端末が、前記フィードバックの要素を示す情報を前記無線基地局から受信するステップと、
前記無線基地局が、前記下りチャネルを用いて、伝送対象のデータを前記無線端末へ送信するステップと、
前記無線端末が、前記無線基地局から、前記伝送対象のデータを受信するステップと、
前記無線端末が、前記下りチャネルを用いて受信した前記伝送対象のデータを復号するステップと、
前記無線端末が、受信された前記フィードバックの要素を示す情報に応じて、前記復号に関するフィードバック情報を上りチャネルを用いて前記無線基地局へ送信するステップと、
前記無線基地局が、前記無線端末から、前記復号に関するフィードバック情報を受信するステップと、
前記無線基地局が、受信された前記復号に関するフィードバック情報に応じて、前記下りチャネルでの再送制御を行うステップと
を備える通信方法。
【発明の詳細な説明】
【技術分野】
【０００１】
本発明は、２つの通信装置を備え、これら２つの通信装置の間で、データの通信を行う通信システム、当該通信システムにおける通信装置、及び、当該通信システムにおける通信方法に関する。
【背景技術】
【０００２】
無線基地局と無線端末との間で通信を行う場合、ハイブリッド自動再送（ＨＡＲＱ）が採用されることがある。このＨＡＲＱは、自動再送（ＡＲＱ）と前方誤り検出符号（ＦＥＣ）を用いた誤り検出とを組み合わせることにより、受信装置における誤り検出能力を向上させるものである。【０００３】
具体的には、無線基地局は、同一のビット列の送信を複数回行う。一方、無線端末は、複数回受信した同一のビット列を合成し、その合成結果から各ビットの値を決定する。これにより、時間ダイバーシティ効果が得られ、誤り検出能力が向上する。【０００４】
また、無線基地局は、無線端末内の復号器による演算処理の都合により、ビット列を所定長のコードブロックと称される単位に分割して送信する場合がある。【０００５】
例えば、特許文献１に記載された技術では、無線基地局は、情報のビット列を複数のブロックに分割する。無線基地局は、各ブロックに誤り検出符号であるＣＲＣ（Cyclic Redundancy Check）のビット列を付加して、コードブロックを生成する。無線基地局は、コードブロックを符号化して送信する。一方、無線端末は、コードブロック毎に復号を行い、コードブロックに含まれるＣＲＣビット列に基づいて、当該コードブロックに含まれる情報ビット列の誤り検出を行う。
【先行技術文献】
【特許文献】
【０００６】
【特許文献１】特開２００５−２９５１９２号公報
【発明の概要】
【０００７】
上述した特許文献１に記載された技術では、無線端末において情報ビット列にエラーが生じた場合、当該無線端末は、無線基地局へ再送を要求すべく、所定のフィードバックを行う。しかしながら、このようなフィードバックは、無線端末から無線基地局へ向かう方向の通信チャネル（上り通信チャネル）に負荷をかけることになり、上り通信チャネルを用いた音声等のデータの伝送にとって障害となり得る。
【０００８】
上記問題点に鑑み、本発明は、データ伝送の妨げとならない適切なフィードバック制御を可能とした通信システム、通信装置、及び、通信方法を提供することを目的とする。
【０００９】
上述した課題を解決するために、本発明は以下のような特徴を有している。本発明の第１の特徴は、第１通信装置（無線基地局１）及び第２通信装置（無線端末２）を有し、前記第１通信装置と前記第２通信装置との間で、データの通信を行う通信システム（無線通信システム１０）であって、前記第１通信装置は、前記第２通信装置から前記第１通信装置に向かう方向の第１通信の状況に基づいて、前記第１通信装置から前記第２通信装置に向かう方向の第２通信の品質を示す情報を前記第２通信装置から前記第１通信装置へフィードバックするときのフィードバック要素を決定する決定部（フィードバック制御情報生成部１６５）と、伝送対象のデータを前記第２通信装置へ送信するデータ送信部と、前記決定部により決定された前記フィードバック要素を示す情報を前記第２通信装置へ送信するフィードバック要素送信部（フィードバック制御情報送信部１６６）とを備え、前記第２通信装置は、前記第１通信装置から、前記伝送対象のデータを受信するデータ受信部（無線通信部２０６）と、前記第２通信の品質を測定する測定部（通信品質測定部２５８）と、前記第１通信装置から、前記フィードバックの要素を示す情報を受信するフィードバック要素受信部（フィードバック制御情報受信部２６４）と、前記フィードバック要素受信部により受信された前記フィードバックの要素を示す情報に応じて、前記測定部により測定された前記第２通信の品質を示す情報を前記第１通信装置へ送信する品質送信部（通信品質送信部２６６）とを備え、前記第１通信装置は、前記第２通信装置から、前記第２通信の品質を示す情報を受信する品質受信部（無線通信部１０６）と、前記品質受信部により受信された前記第２通信の品質を示す情報に応じて、前記第２通信での再送制御を行う再送制御部（レートマッチング部１５８−１、１５８−２、１５８−３、コードブロック結合部１６０、伝送単位設定部１６２）とを備えることを要旨とする。
【００１０】
このような通信システムによれば、第１通信装置は、第１通信の状況に基づいて、第２通信装置による第２通信の品質のフィードバックの要素（factor）を決定し、当該フィードバックの要素を示す情報を第２通信装置へ送信する。一方、第２通信装置は、通知されたフィードバックの要素を示す情報に応じて、第２通信の品質を示す情報を送信する。
【００１１】
したがって、第２通信装置は、第１通信の状況に基づいたフィードバックの態様で、当該第１通信を用いて、第２通信の品質を送信することができ、第１通信を用いた音声等のデータの伝送の妨げとならない適切なフィードバック制御が可能となる。
【００１２】
本発明の第２の特徴は、他の通信装置との間で、データの通信を行う通信装置であって、前記他の通信装置から前記通信装置に向かう方向の第１通信の状況に基づいて、前記通信装置から前記他の通信装置に向かう方向の第２通信の品質を示す情報のフィードバックの要素を決定する決定部と、伝送対象のデータを前記他の通信装置へ送信するデータ送信部と、前記決定部により決定された前記フィードバックの要素を示す情報を前記他の通信装置へ送信するフィードバック要素送信部と、前記他の通信装置により送信される前記第２通信の品質を示す情報を受信する品質受信部と、前記品質受信部により受信された前記第２通信の品質を示す情報に応じて、前記第２通信での再送制御を行う再送制御部とを備えることを要旨とする。
【００１３】
本発明の第３の特徴は、本発明の第２の特徴に係り、前記決定部は、前記第１通信の品質の劣化が大きいほど、前記他の通信装置による、前記第２通信の品質を示す情報のフィードバックの契機及び情報量を制限するようにフィードバックの要素を決定することを要旨とする。
【００１４】
本発明の第４の特徴は、本発明の第２の特徴に係り、前記決定部は、前記第１通信の空き容量が少ないほど、前記他の通信装置による、前記第２通信の品質を示す情報のフィードバックの契機及び情報量を制限するようにフィードバックの要素を決定することを要旨とする。
【００１５】
本発明の第５の特徴は、本発明の第２の特徴に係り、前記決定部は、前記他の通信装置による前記第１通信の使用容量が多いほど、前記第２通信の品質を示す情報のフィードバックの契機及び情報量を制限するようにフィードバックの要素を決定することを要旨とする。
【００１６】
本発明の第６の特徴は、本発明の第２の特徴に係り、前記決定部は、前記他の通信装置による前記第１通信を用いた通信に要求されるＱｏＳが高いほど、前記第２通信の品質を示す情報のフィードバックの契機及び情報量を制限するようにフィードバックの要素を決定することを要旨とする。
【００１７】
本発明の第７の特徴は、本発明の第２の特徴に係り、前記通信装置は、前記他の通信装置との間で、ビット列を分割して得られる複数のコードブロックを含んだパケットの通信を行い、前記決定部は、前記コードブロックの品質を示す情報のフィードバックの要素を決定することを要旨とする。
【００１８】
本発明の第８の特徴は、他の通信装置との間で、データの通信を行う通信装置であって、前記他の通信装置から、伝送対象のデータを受信するデータ受信部と、前記他の通信装置から前記通信装置に向かう方向の第１通信の品質を測定する測定部と、前記通信装置から前記他の通信装置に向かう方向の第２通信の品質を示す情報のフィードバックの要素を示す情報を前記他の通信装置から受信するフィードバック要素受信部と、前記フィードバック要素受信部により受信された前記フィードバックの要素を示す情報に応じて、前記測定部により測定された前記第１通信の品質を示す情報を前記他の通信装置へ送信する品質送信部とを備えることを要旨とする。
【００１９】
本発明の第９の特徴は、本発明の第８の特徴に係り、前記品質送信部は、前記データ受信部により前記伝送対象のデータが受信されてから所定時間内に前記フィードバック要素受信部により前記フィードバックの要素を示す情報が受信されなかった場合に、特定のフィードバックの要素により、前記測定部により測定された前記第１通信の品質を示す情報を前記他の通信装置へ送信することを要旨とする。
【００２０】
本発明の第１０の特徴は、本発明の第８の特徴に係り、前記通信装置は、前記他の通信装置との間で、ビット列を分割して得られる複数のコードブロックを含んだパケットの通信を行い、前記測定部は、前記コードブロックの品質を測定することを要旨とする。
【００２１】
本発明の第１１の特徴は、第１通信装置及び第２通信装置を有し、前記第１通信装置と前記第２通信装置との間で、データの通信を行う通信システムにおける通信方法であって、前記第１通信装置が、前記第２通信装置から前記第１通信装置に向かう方向の第１通信の状況に基づいて、前記第１通信装置から前記第２通信装置に向かう方向の第２通信の品質を示す情報を前記第２通信装置から前記第１通信装置へフィードバックするときのフィードバックの要素を決定するステップと、前記第１通信装置が、伝送対象のデータを前記第２通信装置へ送信するステップと、前記第１通信装置が、決定された前記フィードバックの要素を示す情報を前記第２通信装置へ送信するステップと、前記第２通信装置が、前記第１通信装置からの前記伝送対象のデータを受信するステップと、前記第２通信装置が、前記第２通信の品質を測定するステップと、前記第２通信装置が、前記第１通信装置からの前記フィードバックの要素を示す情報を受信するステップと、前記第２通信装置が、受信された前記フィードバックの要素を示す情報に応じて、測定された前記第２通信の品質を示す情報を前記第１通信装置へ送信するステップと、前記第１通信装置が、前記第２通信装置から、前記第２通信の品質を示す情報を受信するステップと、前記第１通信装置が、受信された前記第２通信の品質を示す情報に応じて、前記第２通信での再送制御を行うステップとを備えることを要旨とする。
【００２２】
本発明の第１２の特徴は、無線基地局及び無線端末を有し、前記無線基地局と前記無線端末との間で、データの通信を行う通信システムにおける通信方法であって、前記無線基地局が、前記無線基地局から前記無線端末に向かう方向の下りチャネルの復号に関するフィードバック情報を前記無線端末がフィードバックするときのフィードバックの要素を示す情報を前記無線端末へ送信するステップと、前記無線端末が、前記フィードバックの要素を示す情報を前記無線基地局から受信するステップと、前記無線基地局が、前記下りチャネルを用いて、伝送対象のデータを前記無線端末へ送信するステップと、前記無線端末が、前記無線基地局から、前記伝送対象のデータを受信するステップと、前記無線端末が、前記下りチャネルを用いて受信した前記伝送対象のデータを復号するステップと、前記無線端末が、受信された前記フィードバックの要素を示す情報に応じて、前記復号に関するフィードバック情報を上りチャネルを用いて前記無線基地局へ送信するステップと、前記無線基地局が、前記無線端末から、前記復号に関するフィードバック情報を受信するステップと、前記無線基地局が、受信された前記復号に関するフィードバック情報に応じて、前記下りチャネルでの再送制御を行うステップとを備えることを要旨とする。
【００２３】
本発明によれば、データ伝送の妨げとならない適切なフィードバック制御が可能となる。
【図面の簡単な説明】
【００２４】
【図１】図１は、本発明の実施形態に係る通信システムの全体概略構成図である。
【図２】図２は、本発明の実施形態に係る無線基地局の概略構成図である。
【図３】図３は、本発明の実施形態に係る無線基地局における制御部の機能ブロック構成図である。
【図４】図４は、本発明の実施形態に係る無線端末の全体概略構成図である。
【図５】図５は、本発明の実施形態に係る無線端末における制御部の機能ブロック図である。
【図６】図６は、本発明の実施形態に係る無線通信システムの動作を示すシーケンス図である。
【図７】図７は、本発明の実施形態に係るＨＡＲＱパケットの生成工程を示す図である。
【図８】図８は、本発明の実施形態に係る誤り検出の一例を示す図である。
【図９】図９は、本発明の実施形態に係る尤度検出の一例を示す図である。
【図１０】図１０は、本発明の実施形態に係る再送用ＨＡＲＱパケットの構成の第１の例を示す図である。
【図１１】図１１は、本発明の実施形態に係る再送用ＨＡＲＱパケットの構成の第２の例を示す図である。
【図１２】図１２は、本発明の実施形態に係る誤り再検出の一例を示す図である。
【図１３】図１３は、本発明の実施形態に係る尤度再検出の一例を示す図である
【発明を実施するための形態】
【００２５】
次に、図面を参照して、本発明の実施形態を説明する。具体的には、（１）通信システムの構成、（２）通信システムの動作、（３）作用・効果、（４）その他の実施形態について説明する。以下の実施形態における図面の記載において、同一又は類似の部分には同一又は類似の符号を付している。
【００２６】
（１）通信システムの構成
まず、本発明の実施形態に係る通信システムの構成について、（１．１）通信システムの全体概略構成、（１．２）通信装置の構成の順に説明する。
【００２７】
（１．１）通信システムの全体概略構成
図１は、本発明の実施形態に係る無線通信システム１０の全体概略図である。
【００２８】
図１に示すように、無線通信システム１０は、第１通信装置に対応する無線基地局１と、第２通信装置に対応する無線端末２とを含む。図１において、無線基地局１と無線端末２とは、互いに信号を送信及び受信する。
【００２９】
（１．２）無線基地局の構成
（１．２．１）無線基地局の概略構成図
図２は、無線基地局１の概略構成図である。図２に示すように、無線基地局１は、制御部１０２、記憶部１０３、有線通信部１０４、無線通信部１０６及びアンテナ１０８を含む。
【００３０】
制御部１０２は、例えばＣＰＵによって構成され、無線基地局１が具備する各種機能を制御する。記憶部１０３は、例えばメモリによって構成され、無線基地局１における制御などに用いられる各種情報を記憶する。
【００３１】
有線通信部１０４は、図示しない上位のネットワークにおけるゲートウェイサーバ等との間で通信を行う。無線通信部１０６は、アンテナ１０８を介して無線信号の送信及び受信を行う。
【００３２】
（１．２．２）無線基地局の詳細構成
次に、無線基地局１の詳細構成、具体的には、制御部１０２の機能ブロック構成について説明する。図３は、無線基地局１の制御部１０２の機能ブロック構成図である。
【００３３】
図３に示すように、制御部１０２は、ＣＲＣ付加部１５２、コードブロック生成部１５４、ＦＥＣエンコーダ１５６−１、１５６−２、１５６−３、レートマッチング部１５８−１、１５８−２、１５８−３、コードブロック結合部１６０、伝送単位設定部１６２、通信状況取得部１６４、フィードバック制御情報生成部１６５、フィードバック制御情報送信部１６６を含む。
【００３４】
ＣＲＣ付加部１５２には、情報のビット列が入力される。次に、ＣＲＣ付加部１５２は、情報ビット列にＣＲＣビット列を付加して、伝送対象のビット列を生成する。更に、ＣＲＣ付加部１５２は、伝送対象ビット列をコードブロック生成部１５４へ出力する。
【００３５】
コードブロック生成部１５４には、伝送対象ビット列が入力される。次に、コードブロック生成部１５４は、伝送対象ビット列を所定長のブロック（コードブロック）に分割する。ここでは、コードブロック生成部１５４は、伝送対象ビット列を３つの所定長のコードブロック（コードブロック＃１乃至＃３）に分割する。
【００３６】
更に、コードブロック生成部１５４は、コードブロック＃１をＦＥＣエンコーダ１５６−１へ出力する。また、コードブロック生成部１５４は、コードブロック＃２をＦＥＣエンコーダ１５６−２へ出力し、コードブロック＃３をＦＥＣエンコーダ１５６−３へ出力する。
【００３７】
ＦＥＣエンコーダ１５６−１には、コードブロック＃１が入力される。ＦＥＣエンコーダ１５６−１は、入力されたＦＥＣエンコーダ１５６−１の符号化を行う。更に、ＦＥＣエンコーダ１５６−１は、符号化後のコードブロック＃１を後段のレートマッチング部１５８−１へ出力する。同様に、ＦＥＣエンコーダ１５６−２は、入力されたコードブロック＃２の符号化を行って、符号化後のコードブロック＃２を後段のレートマッチング部１５８−２へ出力する。更に同様に、ＦＥＣエンコーダ１５６−３は、入力されたコードブロック＃３の符号化を行って、符号化後のコードブロック＃３を後段のレートマッチング部１５８−３へ出力する。符号化後のコードブロック＃１乃至＃３には、コードブロック＃１乃至＃３のそれぞれを識別するための識別情報が含まれている。
【００３８】
レートマッチング部１５８−１には、符号化後のコードブロック＃１が入力される。次に、レートマッチング部１５８−１は、符号化後のコードブロック＃１に、ＣＲＣビット列である誤り検出用の冗長ビット＃１を付加し、伝送対象パケット＃１を生成する。更に、レートマッチング部１５８−１は、伝送対象パケット＃１から、伝送単位設定部１６２によって設定された伝送単位である、第１伝送単位ずつ抜き出して、コードブロック結合部１６０へ出力する。
【００３９】
同様に、レートマッチング部１５８−２には、符号化後のコードブロック＃２が入力される。レートマッチング部１５８−２は、当該符号化後のコードブロック＃２に、ＣＲＣビット列である誤り検出用の冗長ビット＃２を付加して、伝送対象パケット＃２を生成する。更に、レートマッチング部１５８−２は、伝送対象パケット＃２を、伝送単位設定部１６２によって設定された伝送単位である、第２伝送単位ずつ抜き出して、コードブロック結合部１６０へ出力する。同様に、レートマッチング部１５８−３には、符号化後のコードブロック＃３が入力される。レートマッチング部１５８−３は、当該符号化後のコードブロック＃３に、ＣＲＣビット列である誤り検出用の冗長ビット＃３を付加して、伝送対象パケット＃３を生成する。更に、レートマッチング部１５８−３は、伝送対象パケット＃３を、伝送単位設定部１６２によって設定された伝送単位である、第３伝送単位ずつ抜き出して、コードブロック結合部１６０へ出力する。なお、冗長ビットには、自身が付加される符号化後のコードブロックの識別情報が含まれている。
【００４０】
伝送単位設定部１６２は、上述した第１伝送単位乃至第３伝送単位を設定する。具体的には、伝送単位設定部１６２は、無線端末２への最初の送信時には、第１伝送単位乃至第３伝送単位が同一長であり、且つ、第１伝送単位乃至第３伝送単位の合計長が固定長であるＨＡＲＱパケットのパケット長となるように、第１伝送単位乃至第３伝送単位を設定する。
【００４１】
また、伝送単位設定部１６２は、無線端末２への再送時に、アンテナ１０８及び無線通信部１０６を介して、無線端末２からのコードブロック＃１乃至＃３の通信品質を受信した場合には、第１伝送単位乃至第３伝送単位の比率がコードブロック＃１乃至＃３の通信品質の劣化の度合いに応じた比率となり、且つ、第１伝送単位乃至第３伝送単位の合計長が、固定長であるＨＡＲＱパケットのパケット長となるように、第１伝送単位乃至第３伝送単位を設定する。
【００４２】
ここで、コードブロック＃１乃至＃３の通信品質は、無線端末２における、コードブロック＃１乃至＃３のＣＲＣチェック（誤り検出）の結果や、コードブロック＃１乃至＃３の尤度である。
【００４３】
コードブロック結合部１６０は、伝送対象パケット＃１から抜き出された第１伝送単位のパケット、伝送対象パケット＃２から抜き出された第２伝送単位のパケット、及び、伝送対象パケット＃３から抜き出された第３伝送単位のパケットを入力し、これらを結合してＨＡＲＱパケットを生成する。更に、コードブロック結合部１６０は、生成したＨＡＲＱパケットを、無線通信部１０６へ出力する。ＨＡＲＱパケットは、無線通信部１０６及びアンテナ１０８を介して、無線基地局１から無線端末２に向かう下り方向の通信チャネル（下り通信チャネル）によって無線端末２へ送信される。
【００４４】
通信状況取得部１６４は、無線端末２から無線基地局１に向かう上り方向の通信チャネル（上り通信チャネル）の状況を取得する。具体的には、通信状況取得部１６４は、上り通信チャネルの品質（例えば、ＳＮＲ、ＲＳＳＩ、ＦＥＲ等）を測定する。通信状況取得部１６４は、上り通信チャネルの空き容量を取得する。通信状況取得部１６４は、上り通信チャネルでの通信に用いられるアプリケーションの種別によって一意に特定される、当該上り通信チャネルの使用容量を取得する。通信状況取得部１６４は、上り通信チャネルを用いた通信に要求されるＱｏＳ（Quality of Service）を取得する。
【００４５】
フィードバック制御情報生成部１６５は、通信状況取得部１６４によって取得された上り通信チャネルの状況に基づいて、無線端末２が無線基地局１に対して、下り通信チャネルの品質を示すコードブロック通信品質を送信（フィードバック）する際の当該フィードバックの要素（factor）（以下、「態様」という）を示すフィードバック制御情報を生成する。フィードバック制御情報には、フィードバックの契機とフィードバックの情報量とが含まれる。フィードバックの契機とは、例えば、フィードバックの周期等のタイミングを示す情報である。一方、フィードバックの情報量とは、例えば、無線端末２における、コードブロック＃１乃至＃３の誤り検出の結果、及び、コードブロック＃１乃至＃３の尤度の少なくとも何れかであるコードブロック通信品質の種別の数を示す情報である。
【００４６】
具体的には、フィードバック制御情報生成部１６５は、上り通信チャネルの品質が劣化しているほど、フィードバックの契機及びフィードバックの情報量の上限を下げたフィードバック制御情報を生成する。また、フィードバック制御情報生成部１６５は、上り通信チャネルの空き容量が少ないほど、フィードバックの契機及びフィードバックの情報量の上限を下げたフィードバック制御情報を生成する。フィードバック制御情報生成部１６５は、上り通信チャネルの使用容量が多いほど、フィードバックの契機及びフィードバックの情報量の上限を下げたフィードバック制御情報を生成する。フィードバック制御情報生成部１６５は、上り通信チャネルを用いた通信に要求されるＱｏＳが高いほど、フィードバックの契機及びフィードバックの情報量の上限を下げたフィードバック制御情報を生成する。
【００４７】
フィードバック制御情報送信部１６６は、フィードバック制御情報生成部１６５により生成されたフィードバック制御情報を、無線通信部１０６及びアンテナ１０８を介して、無線端末２へ送信する。
【００４８】
（１．３）無線端末の構成
（１．３．１）無線端末の概略構成図
図４は、無線端末２の概略構成図である。図４に示すように、無線端末２は、制御部２０２、記憶部２０３、無線通信部２０６、アンテナ２０８、モニタ２１０、マイク２１２、スピーカ２１４及び操作部２１６を含む。
【００４９】
制御部２０２は、例えばＣＰＵによって構成され、無線端末２が具備する各種機能を制御する。記憶部２０３は、例えばメモリによって構成され、無線端末２における制御などに用いられる各種情報を記憶する。
【００５０】
無線通信部２０６は、アンテナ２０８を介して無線信号の送信及び受信を行う。
【００５１】
モニタ２１０は、制御部２０２を介して受信した画像を表示したり、操作内容（入力電話番号やアドレスなど）を表示したりする。マイク２１２は、音声を集音し、集音された音声に基づく音声データを制御部２０２へ出力する。スピーカ２１４は、制御部２０２から取得した音声データに基づいて音声を出力する。
【００５２】
操作部２１６は、テンキーやファンクションキーなどによって構成され、ユーザの操作内容を入力するために用いられるインタフェースである。
【００５３】
（１．３．２）無線端末の詳細構成
次に、無線端末２の詳細構成、具体的には、制御部２０２の機能ブロック構成について説明する。図５は、無線端末２の制御部２０２の機能ブロック構成図である。
【００５４】
図５に示すように、制御部２０２は、コードブロック分割部２５２、レートデマッチング部２５４−１、２５４−２、２５４−３、ＦＥＣデコーダ２５６−１、２５６−２、２５６−３、通信品質測定部２５８、コードブロック結合部２６０、ＣＲＣチェック部２６２、フィードバック制御情報受信部２６４及び通信品質送信部２６６を含む。
【００５５】
コードブロック分割部２５２は、下り通信チャネルによって無線基地局１から送信されるＨＡＲＱパケットを、アンテナ２０８及び無線通信部２０６を介して受信する。次に、コードブロック分割部２５２は、ＨＡＲＱパケット内の符号化後のコードブロックに含まれる当該符号化後のコードブロックの識別情報と、ＨＡＲＱパケット内の冗長ビットに含まれる当該冗長ビットが付加される符号化後のコードブロックの識別情報とを検出する。
【００５６】
次に、コードブロック分割部２５２は、符号化後のコードブロック＃１の識別情報を含む符号化後のコードブロック＃１と冗長ビット＃１からなる第１伝送単位のパケットをＨＡＲＱパケットから抜き出し、レートデマッチング部２５４−１へ出力する。
【００５７】
同様に、コードブロック分割部２５２は、符号化後のコードブロック＃２の識別情報を含む符号化後のコードブロック＃２と冗長ビット＃２からなる第２伝送単位のパケットをＨＡＲＱパケットから抜き出し、レートデマッチング部２５４−２へ出力する。同様に、コードブロック分割部２５２は、符号化後のコードブロック＃３の識別情報を含む符号化後のコードブロック＃３と冗長ビット＃３からなる第３伝送単位のパケットをＨＡＲＱパケットから抜き出し、レートデマッチング部２５４−３へ出力する。
【００５８】
レートデマッチング部２５４−１には、第１伝送単位のパケットが入力される。レートデマッチング部２５４−１は、当該第１伝送単位のパケットからコードブロック＃１、冗長ビット＃１を抜き出す。更に、レートデマッチング部２５４−１は、コードブロック＃１をＦＥＣデコーダ２５６−１及び通信品質測定部２５８へ出力し、冗長ビット＃１を通信品質測定部２５８へ出力する。
【００５９】
同様に、レートデマッチング部２５４−２には、第２伝送単位がパケットを入力される。レートデマッチング部２５４−２は、当該第２伝送単位のパケットからコードブロック＃２、冗長ビット＃２を抜き出す。更に、レートデマッチング部２５４−２は、コードブロック＃２をＦＥＣデコーダ２５６−２及び通信品質測定部２５８へ出力し、冗長ビット＃２を通信品質測定部２５８へ出力する。同様に、レートデマッチング部２５４−３には、第３伝送単位のパケットが入力される。レートデマッチング部２５４−３は、当該第３伝送単位のパケットからコードブロック＃３、冗長ビット＃３を抜き出す。更に、レートデマッチング部２５４−３は、コードブロック＃３をＦＥＣデコーダ２５６−３及び通信品質測定部２５８へ出力し、冗長ビット＃３を通信品質測定部２５８へ出力する。
【００６０】
通信品質測定部２５８は、レートデマッチング部２５４−１からのコードブロック＃１、冗長ビット＃１を入力する。同様に、通信品質測定部２５８は、レートデマッチング部２５４−２からのコードブロック＃２、冗長ビット＃２を入力し、レートデマッチング部２５４−３からのコードブロック＃３、冗長ビット＃３を入力する。
【００６１】
次に、通信品質測定部２５８は、コードブロック＃１乃至＃３の通信品質を測定する。
【００６２】
具体的には、通信品質測定部２５８は、ＣＲＣビット列である冗長ビット＃１に基づくコードブロック＃１のＣＲＣチェック（誤り検出）と、ＣＲＣビット列である冗長ビット＃２に基づくコードブロック＃２の誤り検出と、ＣＲＣビット列である冗長ビット＃３に基づくコードブロック＃３の誤り検出とを行う。更に、通信品質測定部２５８は、コードブロック＃１乃至＃３の誤り検出の結果を、コードブロック＃１乃至＃３の通信品質として、通信品質送信部２６６へ出力する。
【００６３】
また、通信品質測定部２５８は、冗長ビット＃１に基づくコードブロック＃１の尤度検出と、冗長ビット＃２に基づくコードブロック＃２の尤度検出と、冗長ビット＃３に基づくコードブロック＃３の尤度検出とを行う。更に、通信品質測定部２５８は、コードブロック＃１乃至＃３の尤度検出の結果を、コードブロック＃１乃至＃３の通信品質として、通信品質送信部２６６へ出力する。
【００６４】
更に、通信品質測定部２５８は、コードブロック＃１乃至＃３の誤り検出の結果が、全て誤りがないことを示しており、且つ、コードブロック＃１乃至＃３の尤度検出の結果が所定値（例えば０．８）以上である場合には、通信品質送信部２６６へＡＣＫを出力する。一方、通信品質測定部２５８は、コードブロック＃１乃至＃３の誤り検出の結果の何れかが、誤りがあることを示している場合、あるいは、コードブロック＃１乃至＃３の尤度検出の結果が所定値未満である場合には、通信品質送信部２６６へＮＡＣＫを出力する。
【００６５】
また、ＦＥＣデコーダ２５６−１は、コードブロック＃１を入力し、復号を行う。更に、ＦＥＣデコーダ２５６−１は、復号後のコードブロック＃１をコードブロック結合部２６０へ出力する。ＦＥＣデコーダ２５６−２は、入力したコードブロック＃２の復号を行い、復号後のコードブロック＃２をコードブロック結合部２６０へ出力する。ＦＥＣデコーダ２５６−３は、入力したコードブロック＃３の復号を行い、復号後のコードブロック＃３をコードブロック結合部２６０へ出力する。
【００６６】
コードブロック結合部２６０は、復号後のコードブロック＃１乃至＃３を入力する。次に、コードブロック結合部２６０は、復号後のコードブロック＃１乃至＃３を結合して伝送対象ビット列を生成する。更に、コードブロック結合部２６０は、生成した伝送対象ビット列をＣＲＣチェック部２６２へ出力する。
【００６７】
ＣＲＣチェック部２６２は、伝送対象ビット列を入力する。次に、ＣＲＣチェック部２６２は、伝送対象ビット列から情報ビット列と、ＣＲＣビット列とを取り出し、ＣＲＣビット列に基づいて、情報ビット列の誤り検出を行う。更に、ＣＲＣチェック部２６２は、誤りが検出されなかった場合、情報ビット列を出力する。
【００６８】
フィードバック制御情報受信部２６４は、アンテナ２０８及び無線通信部２０６を介して、無線基地局１からのフィードバック制御情報を受信する。更に、フィードバック制御情報受信部２６４は、フィードバック制御情報を通信品質送信部２６６へ出力する。
【００６９】
通信品質送信部２６６は、通信品質測定部２５８からのコードブロック＃１乃至＃３の通信品質を入力するとともに、フィードバック制御情報受信部２６４からのフィードバック制御情報を入力する。
【００７０】
次に、通信品質送信部２６６は、フィードバック制御情報によって示される、フィードバックの情報量の上限以下となるように、送信対象のコードブロック＃１乃至＃３の通信品質の情報量を決定する。例えば、通信品質送信部２６６は、フィードバックの情報量の上限が１種類である場合には、コードブロック＃１乃至＃３の誤り検出結果、及び、コードブロック＃１乃至＃３の尤度検出結果の何れかを、送信対象のコードブロック＃１乃至＃３の通信品質として決定する。
【００７１】
次に、通信品質送信部２６６は、フィードバック制御情報によって示される、フィードバックの契機の上限以下となるように、コードブロック＃１乃至＃３の通信品質のフィードバックの契機を決定する。
【００７２】
更に、通信品質送信部２０６は、決定したフィードバックの契機で、決定したコードブロック＃１乃至＃３の通信品質を、無線通信部２０６へ出力する。コードブロック＃１乃至＃３の通信品質は、無線通信部２０６及びアンテナ２０８を介して、上り通信チャネルにより無線基地局１へ送信される。
【００７３】
また、通信品質測定部２５８は、コードブロック＃１乃至＃３の誤り検出の結果が、全て誤りがないことを示している場合には、無線通信部２０６へＡＣＫを出力する。また、通信品質測定部２５８は、コードブロック＃１乃至＃３の誤り検出の結果の何れかが、誤りがあることを示している場合には、無線通信部２０６へＮＡＣＫを出力する。ＡＣＫ又はＮＡＣＫは、無線通信部２０６及びアンテナ２０８を介して無線端末２へ送信される。
【００７４】
（２）無線通信システムの動作
図６は、無線通信システム１０を構成する無線基地局１及び無線端末２の動作を示すシーケンス図である。
【００７５】
ステップＳ１００において、無線基地局１は、ＨＡＲＱパケットを生成する。
【００７６】
図７は、ＨＡＲＱパケットの生成工程を示す図である。以下において、最小伝送単位であるブロックは長さＬであるとする。図７（ａ）に示す第１工程では、無線基地局１は、伝送対象ビット列を長さ２Ｌのコードブロック＃１乃至＃３に分割する。
【００７７】
図７（ｂ１）乃至（ｂ３）に示す第２の工程では、無線基地局１は、コードブロック＃１に長さＬのＣＲＣビット列である冗長ビット＃１を５つ付加し、長さ７Ｌの伝送対象パケット＃１を生成する。同様に、無線基地局１は、コードブロック＃２に長さＬのＣＲＣビット列である冗長ビット＃２を５つ付加し、長さ７Ｌの伝送対象パケット＃２を生成し、コードブロック＃３に長さＬのＣＲＣビット列である冗長ビット＃３を５つ付加し、長さ７Ｌの伝送対象パケット＃３を生成する。
【００７８】
図７（ｃ）に示す第３の工程では、無線端末内の伝送単位設定部１６２は、第１乃至第３の伝送単位を、ＨＡＲＱパケットのパケット長の１／３である４Ｌに設定する。更に、無線基地局１は、伝送対象パケット＃１乃至＃３の先頭からそれぞれ４Ｌ分のブロックである、第１伝送単位のパケット乃至第３伝送単位のパケットを抜き出して、結合することにより、長さ１２ＬのＨＡＲＱパケット＃１を生成する。
【００７９】
再び、図６に戻って説明する。ステップＳ１０１において、無線基地局１は、上り通信チャネルの状況に基づいて、フィードバック制御情報を生成する。更に、ステップＳ１０２において、無線基地局１は、ＨＡＲＱパケットとフィードバック制御情報とを送信する。無線端末２は、ＨＡＲＱパケットとフィードバック制御情報とを受信する。
【００８０】
ステップＳ１０３において、無線端末２は、ＨＡＲＱパケットに含まれる各コードブロックの通信品質の測定、すなわち、誤り検出及び尤度検出を行う。
【００８１】
図８は、ステップＳ１０３における誤り検出の一例を示す図である。無線端末２は、図７（ｃ）に示すＨＡＲＱパケットから、図８（ａ）乃至（ｃ）に示すように、コードブロック＃１及び冗長ビット＃１からなる第１伝送単位のパケットと、コードブロック＃２及び冗長ビット＃２からなる第２伝送単位のパケットと、コードブロック＃３及び冗長ビット＃３からなる第３伝送単位のパケットとを抜き出す。
【００８２】
更に、無線端末２は、冗長ビット＃１に基づいて、コードブロック＃１の誤り検出を行う。同様に、無線端末２は、冗長ビット＃２に基づいて、コードブロック＃２の誤り検出を行い、冗長ビット＃３に基づいて、コードブロック＃３の誤り検出を行う。図８では、コードブロック＃１及び＃２には誤りが検出されており（誤り検出結果がＮＧ）、コードブロック＃３には誤りは検出されていない（誤り検出結果がＯＫ）。
【００８３】
また、図９は、ステップＳ１０３における尤度検出の一例を示す図である。無線端末２は、図７（ｃ）に示すＨＡＲＱパケットから、図９（ａ）乃至（ｃ）に示すように、コードブロック＃１及び冗長ビット＃１からなる第１伝送単位のパケットと、コードブロック＃２及び冗長ビット＃２からなる第２伝送単位のパケットと、コードブロック＃３及び冗長ビット＃３からなる第３伝送単位のパケットとを抜き出す。
【００８４】
更に、無線端末２は、冗長ビット＃１に基づいて、コードブロック＃１の尤度検出を行う。同様に、無線端末２は、冗長ビット＃２に基づいて、コードブロック＃２の尤度検出を行い、冗長ビット＃３に基づいて、コードブロック＃３の尤度検出を行う。図９では、コードブロック＃１の尤度が０．２、コードブロック＃２及び＃３の尤度が０．４である。
【００８５】
再び、図６に戻って説明する。ステップＳ１０４において、無線端末２は、ステップＳ１０３における誤り検出結果及び尤度検出結果に基づいて、全てのコードブロックを正常に受信したか否かを判定する。具体的には、無線端末２は、全てのコードブロックの誤り検出結果がＯＫであり、且つ、全てのコードブロックの尤度が所定値以上である場合、全てのコードブロックが正常に受信されたと判定する。
【００８６】
全てのコードブロックが正常に受信された場合、ステップＳ１０５において、無線端末２は、無線基地局１に対して、ＡＣＫを送信し、一連の動作を終了する。
【００８７】
一方、正常に受信されなかったコードブロックが存在する場合（ステップＳ１０４において否定判断の場合）、ステップＳ１０６において、無線端末２は、フィードバック制御情報に基づいて、送信対象のコードブロックの通信品質を決定するとともに、送信対象のコードブロックの通信品質のフィードバックの契機を決定する。
【００８８】
なお、無線端末２が、ステップＳ１０２において、ＨＡＲＱパケットを受信してから所定時間内にフィードバック制御情報を受信することができなかった場合、無線端末２内の通信品質送信部２６６は、予め定められたフィードバック制御情報を、例えば記憶部２０３から読み出す。更に、通信品質送信部２６６は、読み出したフィードバック制御情報に基づいて、送信対象のコードブロックの通信品質を決定するとともに、送信対象のコードブロックの通信品質のフィードバックの契機を決定する。
【００８９】
ステップＳ１０７において、無線端末２は、無線基地局１に対して、ＮＡＣＫを送信する。無線基地局１は、ＮＡＣＫを受信する。更に、無線端末２は、ステップＳ１０６において決定したフィードバックの契機が到来した場合、ステップＳ１０６において決定した送信対象のコードブロックの通信品質を送信する。無線基地局１は、コードブロック通信品質を示す情報を受信する。
【００９０】
例えば、送信対象のコードブロックの通信品質が誤り検出結果である場合、図８の例では、無線端末２は、コードブロック＃１及び＃２についての誤り検出結果がＮＧであり、コードブロック＃３についての誤り検出結果がＯＫであることを示すコードブロック通信品質を送信する。
【００９１】
また、送信対象のコードブロックの通信品質が尤度である場合、図９の例では、無線端末２は、コードブロック＃１についての尤度が０．２であり、コードブロック＃２及び＃３についての尤度が０．４であることを示すコードブロック通信品質を送信する。
【００９２】
再び、図６に戻って説明する。ステップＳ１０８において、無線基地局１は、無線端末２からのＮＡＣＫを受信したか否か、又は、所定時間内にＡＣＫが未受信であるか否かを判定する。ＮＡＣＫを受信しておらず、且つ、所定時間内にＡＣＫを受信した場合には、無線基地局１は、一連の動作を終了する。
【００９３】
一方、無線端末２からのＮＡＣＫを受信した場合、又は、所定時間内にＡＣＫが未受信である場合には、ステップＳ１０９において、無線基地局１は、再送用のＨＡＲＱパケットを生成する。
【００９４】
図１０は、再送用のＨＡＲＱパケットの構成の第１の例を示す図である。図９は、無線端末２において、図８に示すように、コードブロック＃１及び＃２についての誤り検出結果がＮＧであり、コードブロック＃３についての誤り検出結果がＯＫである場合の例である。
【００９５】
この場合、コードブロック＃１及び＃２の再送が必要であり、コードブロック＃３の再送は不要であることに鑑み、無線基地局１は、第１伝送単位及び第２伝送単位を、ＨＡＲＱパケットのパケット長の１／２である６Ｌに設定する。次に、無線基地局１は、伝送対象パケット＃１のうち、直前に送信済みであるブロックのうちの最後のブロックの次のブロックから６Ｌ分を抜き出す。同様に、無線基地局１は、伝送対象パケット＃２のうち、直前に送信済みであるブロックのうちの最後のブロックの次のブロックから６Ｌ分を抜き出す。更に、無線基地局１は、伝送対象パケット＃１及び＃２から抜き出した６Ｌ分のブロックである第１伝送単位のパケット及び第２伝送単位のパケットを結合することにより、長さ１２Ｌの再送用ＨＡＲＱパケット＃２を生成する。
【００９６】
図１１は、再送用のＨＡＲＱパケットの構成の第２の例を示す図である。図９は、無線端末２において、図９に示すように、コードブロック＃１についての尤度が０．２であり、コードブロック＃２及び＃３についての尤度が０．４である場合の例である。
【００９７】
この場合、無線基地局１は、第１伝送単位乃至第３伝送単位の比率を、１／０．２：１／０．４：１／０．４、すなわち、２：１：１とする。更に、無線基地局１は、第１伝送単位を、ＨＡＲＱパケットのパケット長の１／２である６Ｌに設定する。次に、無線基地局１は、伝送対象パケット＃１のうち、直前に送信済みであるブロックのうちの最後のブロックの次のブロックから６Ｌ分を抜き出す。また、無線基地局１は、伝送対象パケット＃２のうち、直前に送信済みであるブロックのうちの最後のブロックの次のブロックから３Ｌ分を抜き出す。同様に、無線基地局１は、伝送対象パケット＃３のうち、直前に送信済みであるブロックのうちの最後のブロックの次のブロックから３Ｌ分を抜き出す。
【００９８】
更に、無線基地局１は、伝送対象パケット＃１から抜き出した６Ｌ分のブロックである第１伝送単位のパケットと、伝送対象パケット＃２から抜き出した３Ｌ分のブロックである第２伝送単位のパケットと、伝送対象パケット＃３から抜き出した３Ｌ分のブロックである第３伝送単位のパケットとを結合することにより、長さ１２Ｌの再送用ＨＡＲＱパケット＃２を生成する。
【００９９】
再び、図６に戻って説明する。ステップＳ１１０において、無線基地局１は、上り通信チャネルの状況に基づいて、フィードバック制御情報を生成する。更に、ステップＳ１１１において、無線基地局１は、再送用ＨＡＲＱパケットとフィードバック制御情報とを送信する。無線端末２は、再送用ＨＡＲＱパケットとフィードバック制御情報とを受信する。
【０１００】
ステップＳ１１２において、無線端末２は、ステップＳ１０２において受信したＨＡＲＱパケットと、ステップＳ１１１において受信した再送用ＨＡＲＱパケットとに含まれる各コードブロックの通信品質の再測定を行う。
【０１０１】
図１２は、ステップＳ１１０における、コードブロックの通信品質の再測定が誤り再検出である場合の一例を示す図である。無線端末２は、図１２（ａ１）に示すように、ステップＳ１０２において受信した、コードブロック＃１及び冗長ビット＃１と、ステップＳ１１１において受信したコードブロック＃１及び冗長ビット＃１とを組み合わせる。ここでは、コードブロック＃１と冗長ビット＃１の１つとは、二度受信されている。この場合、無線端末２は、２つのコードブロック＃１及び２つの冗長ビット＃１について、同一位置のビットのユークリッド距離を合成し、当該ユークリッド距離の合成値に基づいて、二度受信されたコードブロック＃１及び冗長ビット＃１の各ビットを決定する。更に、無線端末２は、冗長ビット＃１に基づいて、コードブロック＃１の誤り検出を行う。
【０１０２】
同様に、無線端末２は、図１２（ａ２）に示すように、ステップＳ１０２及びステップＳ１１１において受信した、コードブロック＃２及び冗長ビット＃２とを組み合わせる。次に、無線端末２は、二度受信されたコードブロック＃２及び冗長ビット＃２の各ビットを決定する。更に、無線端末２は、冗長ビット＃２に基づいて、コードブロック＃２の誤り検出を行う。
【０１０３】
図１３は、ステップＳ１１０における、コードブロックの通信品質の再測定が尤度再検出である場合の一例を示す図である。無線端末２は、図１３（ａ１）に示すように、既に受信済みのコードブロック＃１及び冗長ビット＃１と、新たに受信したコードブロック＃１及び冗長ビット＃１とを組み合わせる。ここでは、コードブロック＃１と冗長ビット＃１の１つとは、二度受信されている。この場合、無線端末２は、２つのコードブロック＃１及び２つの冗長ビット＃１について、同一位置のビットのユークリッド距離を合成し、当該ユークリッド距離の合成値に基づいて、二度受信されたコードブロック＃１及び冗長ビット＃１の各ビットを決定する。更に、無線端末２は、冗長ビット＃１に基づいて、コードブロック＃１の尤度を検出する。
【０１０４】
また、無線端末２は、図１３（ａ２）に示すように、既に受信済みのコードブロック＃２及び冗長ビット＃２と、新たに受信した冗長ビット＃２とを組み合わせ、冗長ビット＃２に基づいて、コードブロック＃２の尤度を検出する。同様に、無線端末２は、図１３（ａ３）に示すように、既に受信済みのコードブロック＃３及び冗長ビット＃３と、新たに受信した冗長ビット＃３とを組み合わせ、冗長ビット＃３に基づいて、コードブロック＃３の尤度を検出する。
【０１０５】
再び、図６に戻って説明する。ステップＳ１１３において、無線端末２は、ステップＳ１１２におけるコードブロック通信品質の再測定の結果に基づいて、全てのコードブロックを正常に受信したか否かを判定する。具体的な判定動作は、ステップＳ１０４と同様である。
【０１０６】
全てのコードブロックが正常に受信された場合、ステップＳ１１４において、無線端末２は、ＡＣＫを送信し、無線基地局１は、当該ＡＣＫを受信する。これにより一連の動作が終了する。
【０１０７】
一方、正常に受信されなかったコードブロックが存在する場合（ステップＳ１１３において否定判断の場合）、再び、ステップＳ１０６における、無線端末２による、フィードバック制御情報に基づいて、送信対象のコードブロックの通信品質の決定と、当該送信対象のコードブロックの通信品質のフィードバックの契機の決定の動作以降が繰り返される。
【０１０８】
（３）作用・効果
本発明の実施形態に係る無線通信システム１０によれば、無線基地局１は、上り通信チャネルの状況に基づいて、無線端末２による下り通信チャネルの品質であるコードブロック通信品質のフィードバックの契機及び情報量の上限を決定する。更に、無線基地局１は、当該フィードバックの契機及び情報量の上限を含んだフィードバック制御情報を、無線端末２へ送信する。一方、無線端末２は、受信したフィードバック制御情報に含まれる、フィードバックの契機及び情報量の上限以下となるように、フィードバックの契機及び情報量を決定し、上り通信チャネルを用いて、下り通信チャネルの品質であるコードブロック通信品質を無線基地局１へ送信する。無線基地局１は、受信したコードブロック通信品質に基づいて、コードブロックの再送制御を行う。
【０１０９】
したがって、無線端末２は、上り通信チャネルの状況に基づいたフィードバックの態様で、当該上り通信チャネルを用いて、下り通信チャネルの品質であるコードブロック通信品質を送信することができ、上り通信チャネルを用いた音声等のデータの伝送の妨げとならない適切なフィードバック制御が可能となる。
【０１１０】
また、無線基地局１は、上り通信チャネルの品質が劣化しているほど、フィードバックの契機及びフィードバックの情報量の上限を下げたフィードバック制御情報を生成する。また、無線基地局１は、上り通信チャネルの空き容量が少ないほど、フィードバックの契機及びフィードバックの情報量の上限を下げたフィードバック制御情報を生成する。また、無線基地局１は、上り通信チャネルの使用容量が多いほど、フィードバックの契機及びフィードバックの情報量の上限を下げたフィードバック制御情報を生成する。また、無線基地局１は、上り通信チャネルを用いた通信に要求されるＱｏＳが高いほど、フィードバックの契機及びフィードバックの情報量の上限を下げたフィードバック制御情報を生成する。このように、上り通信チャネルの状況を示す多種多様なパラメータに基づいて、フィードバック制御情報が生成されることにより、より適切なフィードバック制御が可能となる。
【０１１１】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１１２】
上述した実施形態では、コードブロックの通信品質は、無線端末２における、コードブロックの誤り検出の結果や、コードブロックの尤度であったが、コードブロックの通信品質は、ＳＮＲ、ＲＳＳＩ、ＦＥＲ等であってもよい。
【０１１３】
また、上述した実施形態では、無線基地局１が第１通信装置に対応し、無線端末２が第２通信装置に対応したが、無線端末２が第１通信装置に対応し、無線基地局１が第２通信装置に対応する場合にも、同様に本発明を適用することができる。
【０１１４】
この場合、無線端末２は、下り通信チャネルの状況に基づいて、無線基地局１による上り通信チャネルの品質であるコードブロック通信品質のフィードバックの契機及び情報量の上限を決定する。更に、無線端末２は、当該フィードバックの契機及び情報量の上限を含んだフィードバック制御情報を、無線基地局１へ送信する。一方、無線基地局１は、受信したフィードバック制御情報に含まれる、フィードバックの契機及び情報量の上限以下となるように、フィードバックの契機及び情報量を決定し、下り通信チャネルを用いて、上り通信チャネルの品質であるコードブロック通信品質を無線端末２へ送信する。
【０１１５】
なお、日本国特許出願第２００９−０４３１７７号（２００９年２月２５日出願）の全内容が、参照により、本願明細書に組み込まれている。
【産業上の利用可能性】
【０１１６】
本発明の通信システム、通信装置及び通信方法は、データ伝送の妨げとならない適切なフィードバック制御が可能であり、通信システム等として有用である。
【図１】
2010098411.tif 000003
【図２】
2010098411.tif 000004
【図３】
2010098411.tif 000005
【図４】
2010098411.tif 000006
【図５】
2010098411.tif 000007
【図６】
2010098411.tif 000008
【図７】
2010098411.tif 000009
【図８】
2010098411.tif 000010
【図９】
2010098411.tif 000011
【図１０】
2010098411.tif 000012
【図１１】
2010098411.tif 000013
【図１２】
2010098411.tif 000014
【図１３】
2010098411.tif 000015
【国際調査報告】
2010098411.tif 000016
2010098411.tif 000017
2010098411.tif 000018
2010098411.tif 000019